(57)【要約】  本発明の画像表示装置は、映像信号の１フレームを、少なくとも緑（Ｇ）の光源が発光する第１サブフレームと、少なくとも赤（Ｒ）の光源が発光する第２サブフレームと、青（Ｂ）の光源が発光する第３サブフレームとに分割するサブフレーム生成部（１０）を備える。上記サブフレーム生成部（１０）は、上記第１サブフレームにおいて補正された開口率と、上記第１サブフレームに含まれる赤（Ｒ）の映像信号に対応する光源の輝度分布とから得られる表示信号と、上記第１サブフレームに含まれる赤（Ｒ）の映像信号との差分を求めて、上記第２サブフレームにおいて補正された開口率を、上記第１サブフレームで求めた表示信号の差分に応じて補正する。これにより、輝度不足をなくし、正しくカラー表示を行うことができる。
2011104979.tif 000002
【特許請求の範囲】
【請求項１】
表示領域が光透過性を有する複数の画素で構成された表示手段と、
上記表示手段の表示領域の背面側から異なる色の光を照射する複数の光源からなるバックライトと有し、
上記バックライトの光源の発光による上記表示手段の画素の透過率を示す開口率を、入力された映像信号に応じて制御してカラー画像表示を行う画像表示装置において、
映像信号の１フレームを、少なくとも第１色の光源が発光する第１サブフレームと、少なくとも第２色の光源が発光する第２サブフレームと、第３色の光源が発光する第３サブフレームとに分割し、
上記第１サブフレームに含まれる第１色の映像信号に基づいて、上記第１色の画素に対応する開口率を補正し、
上記第２サブフレームに含まれる第２色の映像信号に基づいて、上記第２色の画素に対応する開口率を補正し、
上記第３サブフレームに含まれる第３色の映像信号に基づいて、上記第３色の画素に対応する開口率を補正し、
上記第１サブフレームにおいて補正された開口率と、上記第１サブフレームに含まれる第２色の映像信号に対応する光源の輝度分布とから得られる表示信号と、
上記第１サブフレームに含まれる第２色の映像信号との差分を求めて、
上記第２サブフレームにおいて補正された開口率を、上記第１サブフレームで求めた表示信号の差分に応じて補正することを特徴とする画像表示装置。
【請求項２】
表示領域が光透過性を有する複数の画素で構成された表示手段と、
上記表示手段の表示領域の背面側から異なる色の光を照射する複数の光源からなるバックライトと有し、
上記バックライトの光源の発光による上記表示手段の画素の透過率を示す開口率を、入力された映像信号に応じて制御してカラー画像表示を行う画像表示装置において、
映像信号の１フレームを、少なくとも第１色の光源が発光する第１サブフレームと、少なくとも第２色の光源が発光する第２サブフレームと、第３色の光源が発光する第３サブフレームとに分割するサブフレーム生成部を備え、
上記サブフレーム生成部は、
上記第１サブフレームに含まれる第１色の映像信号に基づいて、上記第１色の画素に対応する開口率を補正する第１開口率補正部と、
上記第２サブフレームに含まれる第２色の映像信号に基づいて、上記第２色の画素に対応する開口率を補正する第２開口率補正部と、
上記第３サブフレームに含まれる第３色の映像信号に基づいて、上記第３色の画素に対応する開口率を補正する第３開口率補正部とを有し、
上記第１サブフレームにおいて上記第１開口率補正部により補正された開口率と、上記第１サブフレームに含まれる第２色の映像信号に対応する光源の輝度分布とから得られる表示信号と、
上記第１サブフレームに含まれる第２色の映像信号との差分を求めて、
上記第２サブフレームにおいて上記第２開口率補正部により補正された開口率を、上記第１サブフレームで求めた表示信号の差分に応じて補正することを特徴とする画像表示装置。
【請求項３】
上記サブフレーム生成部は、
上記第１サブフレームにおいて上記第１開口率補正部により補正された開口率と、上記第１サブフレームに含まれる第３色の映像信号に対応する光源の輝度分布とから得られる表示信号と、
上記第１サブフレームに含まれる第３色の映像信号との差分を求めて、
上記第２サブフレームにおいて上記第２開口率補正部により補正された開口率と、上記第２サブフレームに含まれる第３色の映像信号に対応する光源の輝度分布とから得られる表示信号と、
上記第２サブフレームに含まれる第３色の映像信号との差分を求めて、
上記第３サブフレームにおいて上記第３開口率補正部により補正された開口率を、上記第１サブフレームで求めた表示信号の差分及び上記第２サブフレームで求めた表示信号の差分の合計差分に応じて補正することを特徴とする請求項２に記載の画像表示装置。
【請求項４】
上記第１色は、緑（Ｇ）色であり、上記第２色は、赤（Ｒ）色であり、上記第３色は、青（Ｂ）色であることを特徴とする請求項１〜３の何れか１項に記載の画像表示装置。
【請求項５】
上記第１色は、イエロー（Ｙ）色であり、上記第２色は、シアン（Ｃ）色であり、上記第３色は、マゼンタ（Ｍ）色であることを特徴とする請求項１〜３の何れか１項に記載の画像表示装置。
【請求項６】
上記バックライトの光源は、所定のエリア毎に独立して駆動することを特徴を請求項１〜５の何れか１項に記載の画像表示装置。
【請求項７】
表示領域が光透過性を有する複数の画素で構成された表示手段と、上記表示手段の表示領域の背面側から異なる色の光を照射する複数の光源からなるバックライトと有し、上記バックライトの光源の発光による上記表示手段の画素の透過率を示す開口率を、入力された映像信号に応じて制御して画像表示を行う画像表示装置の表示方法において、
映像信号の１フレームを、少なくとも第１色の光源が発光する第１サブフレームと、少なくとも第２色の光源が発光する第２サブフレームと、第３色の光源が発光する第３サブフレームとに分割してサブフレームを生成するサブフレーム生成ステップと、
上記サブフレーム生成ステップは、
上記第１サブフレームに含まれる第１色の映像信号に基づいて、上記第１色の画素に対応する開口率を補正する第１開口率補正ステップと、
上記第２サブフレームに含まれる第２色の映像信号に基づいて、上記第２色の画素に対応する開口率を補正する第２開口率補正ステップと、
上記第３サブフレームに含まれる第３色の映像信号に基づいて、上記第３色の画素に対応する開口率を補正する第３開口率補正ステップとを含み、
上記第１サブフレームにおいて上記第１開口率補正ステップにより補正された開口率と、上記第１サブフレームに含まれる第２色の映像信号に対応する光源の輝度分布とから得られる表示信号と、
上記第１サブフレームに含まれる第２色の映像信号との差分を求めて、
上記第２サブフレームにおいて上記第２開口率補正ステップにより補正された開口率を、上記第１サブフレームで求めた表示信号の差分に応じて補正することを特徴とする画像表示装置の表示方法。
【発明の詳細な説明】
【技術分野】
【０００１】
本発明は、カラー表示可能な画像表示装置、特にフィールドシーケンシャル方式によりカラー表示を行う画像表示装置に関する。
【背景技術】
【０００２】
一般に、カラー表示可能な画像表示装置としてのテレビ受像機やパソコンモニターなどのカラーディスプレイの多くは赤・緑・青の３原色を用い、加法混色といわれる色混合方式により画像を表現している。【０００３】
現在の一般的なカラーディスプレイは、Ｒ（赤）、Ｇ（緑）、Ｂ（青）に着色されたカラーフィルタを用いて、カラー表示を行うのが行っている。【０００４】
一方、カラーフィルタを用いないでカラー表示を行うカラーディスプレイも提案されている。例えば、赤・緑・青のバックライトを順次発光させるフィールドシーケンシャル方式のカラーディスプレイがある。このフィールドシーケンシャル方式のカラーディスプレイとしては、例えば特許文献１に開示されている液晶表示装置がある。上記液晶表示装置では、１フレームを、ＲＧＢに対応する３つのサブフレームに分割し、赤・緑・青のバックライトを順次発光させることでカラー表示を行っている。【０００５】
しかしながら、上記のフィールドシーケンシャル方式では、１フレームが単純にＲＧＢの各色の画像信号に対応する３サブフレームに分割されているので、画像によっては１フレームにおけるＲＧＢの適切な混色が行われず、色割れ（カラーブレーキング：ＣＢ）が生じ、表示品位を低下させるという問題が生じる。【０００６】
そこで、例えば特許文献２には、単純にＲＧＢの各色の画像信号に対応する３サブフレームに分割するのではなく、図９に示すように、１ＴＶフィールド期間を３つのサブフィールドに分割し、１つのサブフレームでＧの画像信号全てと表示可能範囲でのＲとＢの各画像信号も表示させ、残りの２サブフレームで、最初に表示し切れなかったＲとＢの各画像信号を表示させることで、ＣＢを緩和する方法が開示されている。
【先行技術文献】
【特許文献】
【０００７】
【特許文献１】日本国公開特許公報「特開平５−３４６５７０号（１９９３年１２月２７日公開）」
【特許文献２】日本国公開特許公報「特開２００９−１３４１５６号（２００９年６月１８日公開）」
【発明の概要】
【発明が解決しようとする課題】
【０００８】
しかしながら、特許文献２に開示した方式であっても、フレーム内に白に近い表示物があり、かつＧの画像信号に比べＲもしくはＢの画像信号に輝度値の小さい表示物があった場合、Ｇの画像信号全てを表示するサブフレームでＲとＢの各画像信号の表示が行われないことになり、単純にＲＧＢの各色の画像信号に対応する３サブフレームに分割して表示する従来の方式と同じになり、ＣＢが発生してしまう。【０００９】
また、フィールドシーケンシャル方式を採用したカラーディスプレイにおいて、ＣＢの発生を抑制する方法として、例えば、バックライトを表示エリア毎に制御するエリアアクティブ制御を採用することが考えられる。【００１０】
しかしながら、通常、エリアアクティブ制御には、ＬＥＤバックライトが用いられている。このため、エリアアクティブ制御によってＣＢの発生を抑制できるものの、元画像に忠実に表示するためにＬＥＤの輝度分布を考慮した補正を単純に行うと、画像によっては輝度不足が生じる。【００１１】
このように、輝度不足が生じると元画像の色と異なる色が表示されることになり、正しくカラー表示が行えないという問題が生じる。【００１２】
本発明は、上記の問題点に鑑みなされたものであり、その目的は、輝度不足をなくし、正しくカラー表示が行える画像表示装置を提供することにある。
【課題を解決するための手段】
【００１３】
上記の課題を解決するために、本発明は、表示領域が光透過性を有する複数の画素で構成された表示手段と、上記表示手段の表示領域の背面側から異なる色の光を照射する複数の光源からなるバックライトと有し、上記バックライトの光源の発光による上記表示手段の画素の透過率を示す開口率を、入力された映像信号に応じて制御してカラー画像表示を行う画像表示装置において、映像信号の１フレームを、少なくとも第１色の光源が発光する第１サブフレームと、少なくとも第２色の光源が発光する第２サブフレームと、第３色の光源が発光する第３サブフレームとに分割し、上記第１サブフレームに含まれる第１色の映像信号に基づいて、上記第１色の画素に対応する開口率を補正し、上記第２サブフレームに含まれる第２色の映像信号に基づいて、上記第２色の画素に対応する開口率を補正し、上記第３サブフレームに含まれる第３色の映像信号に基づいて、上記第３色の画素に対応する開口率を補正し、上記第１サブフレームにおいて補正された開口率と、上記第１サブフレームに含まれる第２色の映像信号に対応する光源の輝度分布とから得られる表示信号と、上記第１サブフレームに含まれる第２色の映像信号との差分を求めて、上記第２サブフレームにおいて補正された開口率を、上記第１サブフレームで求めた表示信号の差分に応じて補正することを特徴としている。【００１４】
また、本発明は、表示領域が光透過性を有する複数の画素で構成された表示手段と、上記表示手段の表示領域の背面側から異なる色の光を照射する複数の光源からなるバックライトと有し、上記バックライトの光源の発光による上記表示手段の画素の透過率を示す開口率を、入力された映像信号に応じて制御してカラー画像表示を行う画像表示装置において、映像信号の１フレームを、少なくとも第１色の光源が発光する第１サブフレームと、少なくとも第２色の光源が発光する第２サブフレームと、第３色の光源が発光する第３サブフレームとに分割するサブフレーム生成部を備え、上記サブフレーム生成部は、上記第１サブフレームに含まれる第１色の映像信号に基づいて、上記第１色の画素に対応する開口率を補正する第１開口率補正部と、上記第２サブフレームに含まれる第２色の映像信号に基づいて、上記第２色の画素に対応する開口率を補正する第２開口率補正部と、上記第３サブフレームに含まれる第３色の映像信号に基づいて、上記第３色の画素に対応する開口率を補正する第３開口率補正部とを有し、上記第１サブフレームにおいて上記第１開口率補正部により補正された開口率と、上記第１サブフレームに含まれる第２色の映像信号に対応する光源の輝度分布とから得られる表示信号と、上記第１サブフレームに含まれる第２色の映像信号との差分を求めて、上記第２サブフレームにおいて上記第２開口率補正部により補正された開口率を、上記第１サブフレームで求めた表示信号の差分に応じて補正することを特徴としている。【００１５】
さらに、本発明は、表示領域が光透過性を有する複数の画素で構成された表示手段と、上記表示手段の表示領域の背面側から異なる色の光を照射する複数の光源からなるバックライトと有し、上記バックライトの光源の発光による上記表示手段の画素の透過率を示す開口率を、入力された映像信号に応じて制御して画像表示を行う画像表示装置の表示方法において、映像信号の１フレームを、少なくとも第１色の光源が発光する第１サブフレームと、少なくとも第２色の光源が発光する第２サブフレームと、第３色の光源が発光する第３サブフレームとに分割してサブフレームを生成するサブフレーム生成ステップと、上記サブフレーム生成ステップは、上記第１サブフレームに含まれる第１色の映像信号に基づいて、上記第１色の画素に対応する開口率を補正する第１開口率補正ステップと、上記第２サブフレームに含まれる第２色の映像信号に基づいて、上記第２色の画素に対応する開口率を補正する第２開口率補正ステップと、上記第３サブフレームに含まれる第３色の映像信号に基づいて、上記第３色の画素に対応する開口率を補正する第３開口率補正ステップとを含み、上記第１サブフレームにおいて上記第１開口率補正ステップにより補正された開口率と、上記第１サブフレームに含まれる第２色の映像信号に対応する光源の輝度分布とから得られる表示信号と、上記第１サブフレームに含まれる第２色の映像信号との差分を求めて、上記第２サブフレームにおいて上記第２開口率補正ステップにより補正された開口率を、上記第１サブフレームで求めた表示信号の差分に応じて補正することを特徴としている。【００１６】
上記の構成によれば、映像信号の１フレームを３つのサブフレームに分割し、第１サブフレームにおいて少なくとも第１色の光源が発光し、第２サブフレームにおいて少なくとも第２色の光源が発光し、第３サブフレームにおいて第３色の光源が発光しているので、１フレームの映像信号をカラー表示させることができる。【００１７】
ここで、映像信号によっては、カラーブレーキングが生じるような場合もあるので、第１サブフレームに第１色の光源の他に、第２色、第３色の光源を発光させるようにすればよい。すなわち、映像信号によっては、カラーブレーキングが生じるような場合もあるので、第１サブフレームに緑（Ｇ）の光源の他に、赤（Ｒ）、青（Ｂ）の光源を発光させるようにすればよい。【００１８】
また、第１サブフレームでは、上記第１サブフレームに含まれる第１色の映像信号に基づいて、上記第１色の画素に対応する開口率が補正されているので、第２色の画素、第３色の画素に対応する開口率は、上記の第１色の画素に対応する補正された開口率と同じになる。このため、補正された開口率が、第２色の画素、第３色の画素に対応する開口率よりも小さい場合に、第２サブフレーム及び第３サブフレームにおいて輝度が不足するという問題が生じる。【００１９】
しかしながら、上記構成においては、上記第１サブフレームにおいて上記第１開口率補正部により補正された開口率と、上記第１サブフレームに含まれる第２色の映像信号に対応する光源の輝度分布とから得られる表示信号と、上記第１サブフレームに含まれる第２色の映像信号との差分を求めて、上記第２サブフレームにおいて上記第２開口率補正部により補正された開口率を、上記第１サブフレームで求めた表示信号の差分に応じて補正することで、１フレーム全体として見た場合に、輝度不足を補うことができ、この結果、第２色、第３色の映像信号を適切に表示することができる。【００２０】
これにより、輝度不足をなくし、上記３つの色（第１色、第２色、第３色）により、正しくカラー表示が行える画像表示装置を実現することができる。【００２１】
なお、上記の補正においては、第２サブフレームにおいて、全ての映像信号が表示される第２色の開口率については適切に補正できるものの、この第２色の補正された開口率が、第３色の映像信号に基づいて得られた開口率よりも小さい場合には、第３サブフレームにおいて輝度が不足するという問題が生じる。【００２２】
このような場合、さらに、上記サブフレーム生成部は、上記第１サブフレームにおいて上記第１開口率補正部により補正された開口率と、上記第１サブフレームに含まれる第３色の映像信号に対応する光源の輝度分布とから得られる表示信号と、上記第１サブフレームに含まれる第３色の映像信号との差分を求めて、上記第２サブフレームにおいて上記第２開口率補正部により補正された開口率と、上記第２サブフレームに含まれる第３色の映像信号に対応する光源の輝度分布とから得られる表示信号と、上記第２サブフレームに含まれる第３色の映像信号との差分を求めて、上記第３サブフレームにおいて上記第３開口率補正部により補正された開口率を、上記第１サブフレームで求めた表示信号の差分及び上記第２サブフレームで求めた表示信号の差分の合計差分に応じて補正するようにすればよい。【００２３】
これにより、補正された開口率が、第３サブフレームにおいて補正された開口率を、上記の合計差分に応じて補正するようになっているので、１フレーム全体として見た場合に、輝度不足を補うことができ、この結果、第３色の映像信号を適切に表示することができる。【００２４】
さらに、上記バックライトの光源は、所定のエリア毎に独立して駆動することが好ましい。【００２５】
このように、バックライトをエリアアクティブ駆動とすることで、仮に、色割れの現象が発生したとしても、バックライトの所定のエリア内という小さな領域での発生に止めることができるので、全体としての色割れの発生を抑制することができる。【００２６】
上記第１色、第２色、第３色は、カラー表示を行う色であれば特に限定されないが、特に、上記第１色は、緑（Ｇ）色であり、上記第２色は、赤（Ｒ）色であり、上記第３色は、青（Ｂ）色であることが好ましく、また、上記第１色は、イエロー（Ｙ）色であり、上記第２色は、シアン（Ｃ）色であり、上記第３色は、マゼンタ（Ｍ）色であることが好ましい。
【発明の効果】
【００２７】
本発明は、表示領域が光透過性を有する複数の画素で構成された表示手段と、上記表示手段の表示領域の背面側から異なる色の光を照射する複数の光源からなるバックライトと有し、上記バックライトの光源の発光による上記表示手段の画素の透過率を示す開口率を、入力された映像信号に応じて制御してカラー画像表示を行う画像表示装置において、映像信号の１フレームを、少なくとも第１色の光源が発光する第１サブフレームと、少なくとも第２色の光源が発光する第２サブフレームと、第３色の光源が発光する第３サブフレームとに分割するサブフレーム生成部を備え、上記サブフレーム生成部は、上記第１サブフレームに含まれる第１色の映像信号に基づいて、上記第１色の画素に対応する開口率を補正する第１開口率補正部と、上記第２サブフレームに含まれる第２色の映像信号に基づいて、上記第２色の画素に対応する開口率を補正する第２開口率補正部と、上記第３サブフレームに含まれる第３色の映像信号に基づいて、上記第３色の画素に対応する開口率を補正する第３開口率補正部とを有し、上記第１サブフレームにおいて上記第１開口率補正部により補正された開口率と、上記第１サブフレームに含まれる第２色の映像信号に対応する光源の輝度分布とから得られる表示信号と、上記第１サブフレームに含まれる第２色の映像信号との差分を求めて、上記第２サブフレームにおいて上記第２開口率補正部により補正された開口率を、上記第１サブフレームで求めた表示信号の差分に応じて補正する構成である。これにより、輝度不足をなくし、正しくカラー表示が行える画像表示装置を実現することができるという効果を奏する。
【図面の簡単な説明】
【００２８】
【図１】本発明の実施例１に係る液晶表示装置の概略ブロック図である。
【図２】図１に示す液晶表示装置に備えられたサブフレーム生成部の概略ブロック図である。
【図３】図２に示すサブフレーム生成部内の第６処理ブロック及び第７処理ブロックの概略ブロック図である。
【図４】（ａ）（ｂ）は、映像のサブフレーム表示までの処理の流れを示す図である。
【図５】図１に示す液晶表示装置に備えられているバックライトの制御を説明するための図である。
【図６】図１に示す液晶表示装置におけるバックライト輝度とフィールド期間との関係をＲＧＢ毎に示した図である。
【図７】（ａ）〜（ｄ）は、本願のサブフレームの表示処理の流れを示す図である。
【図８】（ａ）〜（ｃ）は、従来のサブフレームの表示処理の流れを示す図である。
【図９】従来の液晶表示装置におけるバックライト輝度とフィールド期間との関係をＲＧＢ毎に示した図である。
【発明を実施するための形態】
【００２９】
以下、本発明の実施の形態について、詳細に説明する。
【００３０】
＜液晶表示装置の全体説明＞
図１は、本発明の画像表示装置を液晶表示装置に適用した場合の概略ブロック図を示す。
【００３１】
図１に示すように、液晶表示装置１０１は、表示領域が光透過性を有する複数の画素で構成された液晶パネル（表示手段）１、上記液晶パネル１の表示領域の背面側から異なる色の光を照射する複数の光源からなるバックライト装置２、ソースドライバ３、ゲートドライバ４、バックライトデータ処理部５、映像信号入力部６、ＬＵＴ７（Look-Up Table）、ＲＧＢ信号処理部８、色信号補正部９、サブフレーム生成部１０、データ遅延処理部１１、ドライバ制御部１２を含んでいる。
【００３２】
上記液晶表示装置１０１は、フィールドシーケンシャル方式によるカラー画像表示を行うと共に、バックライトの光源を、所定のエリア毎に独立して駆動するエリアアクティブ駆動制御するようになっている。このため、上記液晶パネル１に使用される液晶は、フィールドシーケンシャル方式に好適な応答速度の速い強誘電性液晶が用いられ、上記バックライト装置２は、発光素子としての発光ダイオード（ＬＥＤ：Light Emitting Diode）を用いたＬＥＤバックライトシステムが用いられている。なお、上記バックライト装置２では、第１色としてのＲ（赤）、第２色としてのＧ（緑）、第３色としてのＢ（青）のＬＥＤが複数個平面状に配置されている。
【００３３】
すなわち、上記液晶表示装置１０１は、外部から入力された映像信号を受け取り処理する映像信号入力部６と、所定のデータが予め格納されているＬＵＴ７と、上記映像信号入力部６に接続されたＲＧＢ信号処理部８とが設けら、さらに、上記ＲＧＢ信号処理部８に順次接続された色信号補正部９、サブフレーム生成部１０、データ遅延処理部１１、及びドライバ制御部１２と、上記色信号補正部９とデータ遅延処理部１１との間に接続されたバックライトデータ処理部５と、上記ドライバ制御部１２に接続されたソースドライバ３及びゲートドライバ４とが設けられている。
【００３４】
そして、上記映像信号入力部６に入力された映像信号に応じて、ドライバ制御部１２がソースドライバ３及びゲートドライバ４に指示信号を出力することにより、液晶パネル１が画素単位に駆動され、かつ、バックライトデータ処理部５がバックライト装置２に指示信号を出力することにより、当該バックライト装置２を構成している各ＬＥＤが点灯駆動するようになっている。
【００３５】
なお、上記映像信号入力部６と、ＬＵＴ７と、ＲＧＢ信号処理部８と、色信号補正部９と、サブフレーム生成部１０と、データ遅延処理部１１と、ドライバ制御部１２と、バックライトデータ処理部５とが、入力された映像信号を用いて、上記液晶パネル１及びバックライト装置２の駆動制御を行う制御部を構成している。
【００３６】
上記映像信号入力部６には、映像信号として、図示しないアンテナなどから表示画像での表示色を示す色信号、画素単位の輝度を輝度信号、及び同期信号などを含んだ複合映像信号が入力される。
【００３７】
上記映像信号入力部６に入力された複合映像信号は、ＲＧＢ信号処理部８にのみに出力されている。
【００３８】
また、上記ＲＧＢ信号処理部８では、上記映像信号入力部６からの複合映像信号に対して、クロマ処理、マトリクス変換処理などを施してＲＧＢセパレート信号に変換し、変換したＲＧＢセパレート信号を後段の上記色信号補正部９に出力する。すなわち、上記ＲＧＢ信号処理部８は、入力された複合映像信号からＲＧＢの各表示階調値を示す、ＲＧＢセパレート信号を得て、後段の上記色信号補正部９に出力する。
【００３９】
上記色信号補正部９では、入力されたＲＧＢセパレート信号に対し、本液晶表示装置１０１に搭載されている液晶パネル１における色再現範囲や表示モードなどを基に定められている、所定の補正処理を施して、映像信号（Ｒ’Ｇ’Ｂ’セパレート信号）に変換するようになっている。具体的にいえば、上記色信号補正部９には、液晶表示装置１０１に設けられた光センサ（図示せず）から外光の強度（光量）の測定結果が入力されるようになっており、上記色信号補正部９は、その測定結果を用いて、上記液晶パネル１での外光の影響による色再現範囲の変化を計算し、外光の状態で最適な表示色になるよう色変換処理を行う。
【００４０】
また、上記色信号補正部９は、人肌等の特定色の色信号を読み取り、よりユーザが好ましいと感じる色へと信号値を補正したり、液晶表示装置１０１に付随するリモートコントローラなどから入力された表示モードに応じて、表示面全面の輝度を上げ下げしたりするようにも構成されている。
【００４１】
そして、上記色信号補正部９は、変換後の映像信号（Ｒ’Ｇ’Ｂ’セパレート信号）を後段のサブフレーム生成部１０及びバックライトデータ処理部５に出力する。
【００４２】
上記サブフレーム生成部１０では、上記色信号補正部９からの映像信号（Ｒ’Ｇ’Ｂ’セパレート信号）の信号値から１フレーム期間を３つに分割して、３つのサブフレームを生成する。この３つのサブフレームのデータは、後段のデータ遅延処理部１１に出力する。
【００４３】
ここで、上記サブフレームは、１ＴＶフィールド（例えば６０Ｈｚ）を、３つのサブフィールドに分割（各１８０Ｈｚ）したときに、一つのサブフィールドに表示すべきデータ（各色の輝度値）を含んだフレーム期間として定義する。以下、サブフレームとした場合には、表示すべきデータを含んでいるものとする。
【００４４】
また、上記の３つのサブフレームへの分割方法は多くあるが、例えば、第１サブフレームには、Ｇ（緑）の表示データ全て、Ｒ（赤）およびＢ（青）の表示データの一部が含まれるように、第２サブフィールドには、上記第１サブフィールドで表示し切れなかった残りすべてのＲ（赤）の表示データおよび、Ｂ（青）の表示データの一部が含まれるように、第３サブフレームには、上記第２サブフレームで表示し切れなかったＢ（青）の表示データの全てが含まれるように、１フレーム期間を分割する。
【００４５】
上記データ遅延処理部１１は、液晶パネル１の動作タイミングとバックライト装置２の動作タイミングを合致させるために、液晶パネル１側にドライバ制御部１２から出力される指示信号のデータを遅延する処理部である。
【００４６】
すなわち、上記データ遅延処理部１１は、上記映像信号入力部６からの複合映像信号に含まれている同期信号と、上記バックライトデータ処理部５からのバックライト点灯タイミング信号とから、上記サブフレーム生成部１０から送られる３つのサブフレームのデータをドライバ制御部１２へ出力するタイミングを調整している。
【００４７】
上記ドライバ制御部１２は、データ遅延処理部１１からの３つのサブフレームのデータに基づいて、ソースドライバ３、ゲートドライバ４に対して、液晶パネル１を駆動するための指示信号を出力する。
【００４８】
一方、上記バックライトデータ処理部５は、上記色信号補正部９からの映像信号（Ｒ’Ｇ’Ｂ’セパレート信号）から、上記ＬＵＴ７に予め格納されているデータを参照して、上記バックライト装置２に対してエリアアクティブ駆動するための指示信号を出力する。
【００４９】
以上のように、本液晶表示装置１０１では、バックライト装置２に対して、液晶パネル１に表示する映像信号に応じたエリアアクティブ駆動を行う。
【００５０】
ここで、上記サブフレーム生成部１０について詳細に説明する。
【００５１】
＜サブフレーム生成部の詳細説明＞
図２は、図１に示すサブフレーム生成部における各処理ブロックを示した概略ブロック図である。
【００５２】
図３は、図２に示す第６及び第７処理ブロックを示した概略ブロック図である。
【００５３】
図４は、サブフレームの表示処理の流れを説明する図であり、（ａ）は、第１サブフレームの表示処理の流れを示し、（ｂ）は、第２サブフレームの表示処理の流れを示している。
【００５４】
上記サブフレーム生成部１０は、図２に示すように、第１処理ブロックＢ１〜第１３処理ブロックＢ１３を含み、これらの処理ブロックによって、３つのサブフレームのデータ（各サブフレーム用ＬＣＤの開口率）を生成し、出力するようになっている。
【００５５】
まず、第１処理ブロックＢ１において、読み込まれた画像データ（ＲＧＢ値）は、第２処理ブロックＢ１において、一定の規則で３つのサブフレームに分割される。この分割方法については後述する。
【００５６】
第３処理ブロックＢ３において、第１サブフレームとして、Ｇ（緑）の表示データを１００%、Ｒ（赤）、Ｂ（青）の表示データの一部（０％も含む）が含まれるように設定し、第４処理ブロックＢ４において、第１サブフレーム用ＬＥＤ値を計算して求める。この第１サブフレーム用ＬＥＤ値は、第５処理ブロックＢ５と第６処理ブロックＢ６に出力される。
【００５７】
そして、第５処理ブロックＢ５において、第４処理ブロックＢ４からの第１サブフレーム用ＬＥＤ値を考慮して、第１サブフレーム用ＬＣＤ開口率を計算して求める。第１サブフレーム用ＬＣＤ開口率は、第６処理ブロックＢ６に出力される。なお、第１サブフレーム用ＬＣＤ開口率は、データ遅延処理部１１に出力される。
【００５８】
上記第６処理ブロックＢ６において、第１サブフレームＬＣＤ値とＲ（赤）、Ｂ（青）のＬＥＤ値から第１サブフレームのＲＢ輝度分布を計算する。この計算の詳細については後述する。
【００５９】
また、第７処理ブロックＢ７において、（元）画像データから上記第６処理ブロックＢ６で求めた第１サブフレームのＲＢ輝度分布を減算する。この計算の詳細については後述する。
【００６０】
ここで、ＬＣＤ開口率とは、バックライトの１画素毎の透過率を示している。そして、エリア制御によるＬＥＤバックライトＴＶシステムにおける表示輝度は、バックライトの輝度（０〜１００％）を上記ＬＣＤ開口率（０〜１００％）で乗算した値をいう。
【００６１】
例えば、第１サブフレームでは入力画像のＧ（緑）の表示データに基づいてバックライト（ＬＥＤ値）とＬＣＤ開口率が求められ表示を行うようになっているが、その際に、Ｒ（赤）もしくはＢ（青）のバックライトを点灯することもある。ここで、ＧのＬＣＤ開口率でＲもしくはＢのＬＥＤが点灯するため、ＲとＢに関してはＰＳＦ(点広がり関数)の補正によるＬＣＤとＬＥＤによる表示結果が正しくない状態があり得る。つまり、ＲとＢの過補正が原因となって上記結果となる。この過補正の補正のため、第１サブフレームのＬＣＤ開口率とＲもしくＢのＬＥＤ値による輝度分布を常に求めておく。
【００６２】
続いて、第８処理ブロックＢ８において、第２サブフレーム用ＬＥＤ値を計算して求める。この第２サブフレーム用ＬＥＤ値は、第９処理ブロックＢ９に出力される。
【００６３】
そして、第９処理ブロックＢ９において、第８処理ブロックＢ８からの第２サブフレーム用ＬＥＤ値を考慮して、第２サブフレーム用ＬＣＤ開口率を計算して求める。第２サブフレーム用ＬＣＤ開口率は、第１０処理ブロックＢ１０に出力される。なお、第２サブフレーム用ＬＣＤ開口率は、データ遅延処理部１１に出力される。
【００６４】
上記第１０処理ブロックＢ１０において、第２サブフレーム用ＬＣＤ開口率（以下、ＬＣＤ値と称する）とＢ（青）のＬＥＤ値から第２サブフレームのＲＢ輝度分布を計算する。この計算は、第６処理ブロックＢ６と同じである。
【００６５】
また、第１１処理ブロックＢ１１において、（元）画像データから上記第１０処理ブロックＢ１０で求めた第２サブフレームのＢ輝度分布を減算する。この計算は、第７処理ブロックＢ７と同じである。
【００６６】
すなわち、第２サブフレームでは、第１サブフレームで表示しきれなかった、Ｒの残り全ての表示を行う。ここでの開口率はそのＲの表示データに基づくが、第１サブフレームで発生した過補正の補正を行う必要がある。これは、入力画像のＲの表示データから、第１サブフレームの輝度分布および第２サブフレームの“過補正の補正前”のＬＣＤ開口率から求めた輝度分布を引くことで、過補正分を求め、それを、前述の第２サブフレームのＬＣＤ開口率に反映させることで、最終的な第２サブフレームのＬＣＤ開口率とする。これにより、Ｒの過補正を正すことができる。
【００６７】
次いで、第１２処理ブロックＢ１２において、第３サブフレーム用ＬＥＤ値を計算して求める。この第３サブフレーム用ＬＥＤ値は、第１３処理ブロックＢ１３に出力される。
【００６８】
そして、第１３処理ブロックＢ１３において、第１２処理ブロックＢ１２からの第３サブフレーム用ＬＥＤ値を考慮して、第３サブフレーム用ＬＣＤ開口率を計算して求める。なお、第３サブフレーム用ＬＣＤ開口率は、データ遅延処理部１１に出力される。
【００６９】
このように、第３サブフレームは、第１、第２各サブフレームで表示されなかった残りのＢ全てを表示している。ここでも、ＬＣＤ開口率は過補正の補正のために、第２サブフレームで行った処理と同様の処理を施す。
【００７０】
上記第６処理ブロックＢ６、第７処理ブロックＢ７における処理詳細について以下に説明する。
【００７１】
上記第６処理ブロックＢ６は、図３に示すように、第１サブフレームのＬＣＤ開口率（ＬＣＤへのデータ）を正規化する正規化部１１１と、正規化されたデータに対して逆γ変換する逆γ変換部１１２と、第１サブフレームのＲ／ＢのＬＥＤ値を正規化する正規化部１１３と、上記逆γ変換部１１２にて得られたデータ（１）と、上記正規化部１１３にて得られたデータ（２）とを乗算する乗算部１１４とを含んでいる。
【００７２】
また、上記第７処理ブロックＢ７は、図３に示すように、色信号補正部９からの画像データを正規化する正規化部１２１と、正規化されたデータに対して逆γ変換する逆γ変換部１２２と、上記逆γ変換部１２２にて得られたデータ（４）から、上記第６処理ブロックＢ６の乗算部１１４にて得られたデータ（３）を減算する減算部１２３とを含んでいる。
【００７３】
すなわち、図３において、第６処理ブロックＢ６に入力される第１サブフレームのＬＣＤ開口率（ＬＣＤへのデータ）は、ＲＧＢの階調値(例えば、８ビット長であれば、０〜２５５の値）である。本第６処理ブロックＢ６では、正規化部１１１において、この値を０〜１の値として計算する。この計算された値を、逆γ変換部１１２において、逆γ変換（ここでは１／２．２乗）し、光としてリニアな値とする。これは、ＬＥＤが、それに与える信号値に対して、リニアに発光するためである。
【００７４】
一方、第６処理ブロックＢ６に入力される第１サブフレームのＲ／ＢのＬＥＤ値も同様に、ＲＧＢの階調値であり、これを正規化部１１３にて正規化して本処理ブロック内で扱う。
【００７５】
上記第６処理ブロックＢ６では、上記乗算部１１４にて、入力されたＬＣＤ開口率から得られるデータ（１）とＬＥＤ値から得られるデータ（２）を乗算して、実際に表示された際の輝度分布を求める。
【００７６】
同様に、上記第７処理ブロックＢ７では、色信号補正部９からの画像データのＲＧＢの階調値が入力される。ここでも上記第６処理ブロックＢ６と同様に、正規化部１２１にて正規化し、逆γ変換部１２２にて逆γ変換を行い、光に対してリニアな値として扱う。
【００７７】
そして、上記第７処理ブロックＢ７では、減算部１２３にて、上記第６処理ブロックＢ６でで求めた輝度分布を示すデータ（３）を、本処理ブロックで求めた値を示すデータ（４）から引くことで、第２サブフレーム以降で表示させるべきＲＧＢの階調を求めることができる。
【００７８】
ここで、本液晶表示装置１０１における表示処理の流れを簡単に説明すると以下のようになる。
【００７９】
第１サブフレームの表示処理は以下のように行われる。
【００８０】
図４の（ａ）の（０）に示すように、入力画像の階調値と輝度値との関係を示すグラフはガンマカーブとなっている。このグラフを、（１）において、リニアに変換する。次に、（２）において、（１）でリニアに変換したグラフのＧ画素値（階調値）からバックライトのＬＥＤ値（輝度値）を求め、（３）において、（１）のＧ画素値と、（２）のＬＥＤ値とから、ＬＣＤ開口率を求める。このＬＣＤ開口率を求める際には、ＰＳＦ補正が行われている。そして、（４）において、（３）で求めたＬＣＤ開口率から階調値と輝度値との関係を示すグラフをリニアからガンマカーブに戻す。最後に、（２）で求めたＬＥＤ値と、（４）で戻したガンマカーブの階調値と輝度値との関係を示すグラフとで第１サブフレームの表示を行う。
【００８１】
第２サブフレームの表示処理は以下のように行われる。
【００８２】
図４の（ｂ）の（５）において、図４の（ａ）の（２）で求めたＲ、ＢのＬＥＤ値と、（３）で求めたＬＣＤ開口率とを乗算することで、第１サブフレームでのＲ、Ｂの輝度分布を求める。（６）において、図４の（ａ）の（１）のグラフから求めたＲ、Ｂ画素値から、上記（５）において求めた輝度分布から得られるＲ、Ｂ画素値を減算することで、第１フレームでのＲ，Ｂ画素値を求める。そして、（７）において、（６）で求めたＲ、Ｂ画素値からバックライトのＬＥＤ値を求め、（８）において、（６）のＲ画素値と、（７）のＬＥＤ値とから、ＬＣＤ開口率を求める。このＬＣＤ開口率を求める際には、ＰＳＦ補正が行われている。そして、（９）において、（８）で求めたＬＣＤ開口率から階調値と輝度値との関係を示すグラフをリニアからガンマカーブに戻す。最後に、（７）で求めたＬＥＤ値と、（９）で戻したガンマカーブの階調値と輝度値との関係を示すグラフとで第２サブフレームの表示を行う。
【００８３】
図４の（ａ）（ｂ）に示した表示処理によれば、第１サブフレームで発生するＲＢの過補正は、（第２サブフレームの場合）第１サブフレームで計算したＬＥＤ値とＬＣＤ開口率をもとに輝度分布を計算し、元画像データからその輝度分布データの差分を第２サブフレームの元データとすることで、求めることが出来る。これを毎サブフレーム行う。（第２サブフレームの場合）第２サブフレームで計算したＬＥＤ値と第２サブフレームの開口率をもとにＢの輝度分布を計算し、元画像データから第１サブフレームおよび第２サブフレームの輝度分布の差分が第３サブフレームの元画像データとなる。
【００８４】
＜バックライトのエリアアクティブ駆動制御の説明＞
図５は、図１に示す液晶表示装置に備えられたバックライトの制御を説明するための図である。
【００８５】
図６は、ＬＥＤバックライトにおける一つのエリアで行われる処理の図である。
【００８６】
図７は、図６に示す処理を適用した場合の液晶表示装置の開口率補正の処理の流れを示す図である。
【００８７】
上記構成の液晶表示装置１０１において、バックライト装置２は、図５に示すように、複数の発光エリア２ａを有している。この発光エリア２ａは、所定数のＬＥＤからなる。
【００８８】
そして、上記液晶表示装置１０１では、各サブフレームで発光させるバックライトを、ＬＥＤの発光エリア２ａごとに駆動制御するようになっている。これにより、課題となる色割れの現象が発生したとしても、ＬＥＤの発光エリア２ａという小さなエリアでの発生にとどめ、色割れの発生を極力抑えることができ、そして、それに伴ったＬＥＤの輝度分布に応じた補正を行うことができる。
【００８９】
ここで、サブフレームの分割設定について図６、図７を参照しながら具体的に説明する。
【００９０】
図６は、１ＴＶフィールド(例えば６０Ｈｚ）を、３つのサブフレームに分割（各サブフィールドは１８０Ｈｚ）し、表示している内容(色)をＲＧＢそれぞれ示している。そして、１ＴＶフィールドで表示する内容(色)は、各サブフレームで表示する色の合計となる。
【００９１】
３つのサブフレームの分割方法について以下に説明する。
【００９２】
エリア制御を行う１つのエリア（図５に示す発光エリア２ａ）毎に分割処理を行う。１つのエリアにおける全ての画素（ＲＧＢ）の値から分割比が決まる。
【００９３】
（ＧＲＢフレーム（第１サブフレーム）のＧ）
本サブフレームで１ＴＶフィールドにおける全てのＧデータを表示する必要があるので、液晶パネル１及びバックライト装置２はＧデータ全てを表示する値とする。
【００９４】
（ＧＲＢフレーム（第１サブフレーム）のＲ）
Ｇデータとなっている液晶データで、Ｒの輝度が１エリア内画素で最小の輝度となるようなバックライトの値とする。当該エリア内にＲデータがない場合は、Ｒのバックライトは点灯しない。
【００９５】
（ＧＲＢフレーム（第１サブフレーム）のＢ）
Ｇデータとなっている液晶データで、Ｂの輝度が１エリア内画素で最小の輝度となるようなバックライトの値とする。当該エリア内にＢデータがない場合は、Ｂのバックライトは点灯しない。
【００９６】
（ＲＢフレーム（第２サブフレーム）のＲ）
１ＴＶフィールドのうち、第１サブフレームで表示し切れなかったＲデータを全て表示できる液晶パネル１及びバックライト装置２の値となる。
【００９７】
（ＲＢフレーム（第２サブフレーム）のＢ）
上記で決まったＲデータとなっている液晶データで、１エリア内における１ＴＶフィールドのデータのうち、第１サブフレームで表示し切れなかった残りのＢのなかで最小の輝度となるようなバックライトの値とする。
【００９８】
（Ｂフレーム（第３サブフレーム）のＢ）
１ＴＶフィールドのうち、第１サブフレームと第２サブフレームの両サブフレームで表示し切れなかったＢデータが全て表示できる液晶パネル１及びバックライト装置２の値となる。
【００９９】
このように、図６に示すように３つのサブフレームを生成した場合、１つのサブフレーム（Ｇメイン）はＧの値でＬＣＤ開口率を決める。このＬＣＤ開口率は１つのＬＥＤの輝度分布（ＰＳＦ）に応じて、ＬＣＤ開口率で補正するため元データを補正する。これは、ＧのＬＥＤの輝度を元に行う。そして、このＬＣＤ開口率でＧのＬＥＤの点灯と可能な範囲でのＲ、Ｂの点灯も行う。しかし、ＧのＬＥＤでの開口率補正を行っているため、ＲもしくはＢのデータは正しく補正されない。その他のサブフレームではＧメインのサブフレームで表示されなかったＲを表示するための処理を行うが、通常ではそのサブフレームで閉じた開口率の補正を行うので、Ｇメインのサブフレームで正しく補正されなかったＲもしくはＢは全てのサブフレームを表示しても正しく表示されないことになる。これを回避するために、ＬＣＤ開口率の過補正を補正する処理が必要になる。
【０１００】
続いて、ＬＣＤ開口率の過補正の補正を行う処理について、図７の（ａ）〜図７の（ｄ）を参照しながら以下に説明する。その前に、従来のＬＣＤ開口率補正の説明と、その課題について図８の（ａ）〜図８の（ｃ）を参照しながら説明を行う。
【０１０１】
図８の（ａ）は、第１補正処理を示す。
【０１０２】
最初のサブフレームでは、（１）のデータ(Green)に基づいて開口率の補正を行う。(１）の表示データがありその直下で（２）の輝度分布でＬＥＤ(Greenに対応するＬＥＤ）が発光する場合、開口率補正を行わない場合は（３）のように点灯する。これを防ぐため、（４）のように開口率補正を行う。
【０１０３】
図８の（ｂ）は、第２補正処理を示す。
【０１０４】
最初のサブフレームでは、（４）の開口率で、Red、BlueのＬＥＤの点灯を行うこともあるが、GreenのＬＥＤよりも低い輝度で表示することがあり、その場合、過補正となり（７）のような表示状態となる。
【０１０５】
図８の（ｃ）は、第３補正処理を示す。
【０１０６】
第２サブフレームでは、（８）のデータ（Ｒｅｄ）に基づいて開口率の補正を行う。これによって、第２サブフレームでのＲデータが正しく補正され表示されることになるが、最初のサブフレームで発生した過補正は補正されない。
【０１０７】
これに対して、以下の本願発明に係るＬＣＤ開口率の過補正の補正処理によれば、フィールドシーケンシャル方式かつＬＥＤバックライトによるエリアアクティブ駆動制御を行う表示システムにおいて、１フレームを構成するサブフレームデータの計算およびＬＥＤの輝度分布の補正をサブフレーム全体で行うことで、正確な色再現を行うことが出来るようになる。
【０１０８】
図７の（ａ）は、第１補正処理を示す。
【０１０９】
最初のサブフレームでは、（１）のデータ(Green)に基づいて開口率の補正を行う。(１）の表示データがありその直下で（２）の輝度分布でＬＥＤ(Greenに対応するＬＥＤ）が発光する場合、開口率補正を行わない場合は（３）のように点灯する。これを防ぐため、（４）のように開口率補正を行う。
【０１１０】
図７の（ｂ）は、第２補正処理を示す。
【０１１１】
最初のサブフレームでは、（４）の開口率で、Red、BlueのＬＥＤの点灯を行うこともあるが、GreenのＬＥＤよりも低い輝度で表示することがあり、その場合、過補正となり（７）のような表示状態となる。ここで、（７）の結果は（４）の開口率補正データと（６）の輝度分布から求め、過補正分（斜線部）を計算する。具体的には、最初のサブフレームにおいて補正された開口率（図７の（４））と、最初のサブフレームに含まれる第２色の映像信号に対応する光源の輝度分布（図７の（６））とから得られる表示信号（図７の（７））と、上記第１サブフレームに含まれる第２色の映像信号（図７の（５））との差分（図７の（７）の斜線部分）を求める。
【０１１２】
図７の（ｃ）は、第３補正処理を示す。
【０１１３】
第２サブフレームでは、（８）のデータ（Ｒｅｄ）に基づいて開口率の補正を行う。これによって、第２サブフレームでのＲデータが正しく補正され表示されることになるが、最初のサブフレームで発生した開口率の過補正は補正されない（１１）。（７）の表示結果から求めた過補正分（斜線部）をこのサブフレームの開口率に加味することで、最初のサブフレームで発生した過補正を再度補正する（１２）。具体的には、上記第２サブフレームにおいて補正された開口率（図７（１１））を、上記第１サブフレームで求めた表示信号の差分（図７の（７）の斜線部分）に応じて補正する（図７の（１２））。
【０１１４】
なお、輝度分布が（９）であるとき、開口率補正を行わない場合には、図７の（ａ）の（３）と同様に（１０）のような表示結果となる。
【０１１５】
そして、図７の（ｄ）に示すように、輝度分布が（９）であるとき、再度補正された開口率（１２）による表示結果は（１３）のようになる。
【０１１６】
図７の（ｄ）の表示結果（１３）から、輝度分布のピーク近傍が若干凸状になっているもの、第２サブフレーム目のＲデータとしては、適正な輝度となっていることが分かる。
【０１１７】
なお、上記の補正においては、第２サブフレームにおいて、全ての映像信号が表示される第２色の開口率については適切に補正できるものの、この第２色の補正された開口率が、第３色の映像信号に基づいて得られた開口率よりも小さい場合には、第３サブフレームにおいて輝度が不足するという問題が生じる。
【０１１８】
このような場合、さらに、上記サブフレーム生成部は、上記第１サブフレームにおいて上記第１開口率補正部により補正された開口率と、上記第１サブフレームに含まれる第３色の映像信号に対応する光源の輝度分布とから得られる表示信号と、上記第１サブフレームに含まれる第３色の映像信号との差分を求めて、上記第２サブフレームにおいて上記第２開口率補正部により補正された開口率と、上記第２サブフレームに含まれる第３色の映像信号に対応する光源の輝度分布とから得られる表示信号と、上記第２サブフレームに含まれる第３色の映像信号との差分を求めて、上記第３サブフレームにおいて上記第３開口率補正部により補正された開口率を、上記第１サブフレームで求めた表示信号の差分及び上記第２サブフレームで求めた表示信号の差分の合計差分に応じて補正するようにすればよい。
【０１１９】
これにより、補正された開口率が、第３サブフレームにおいて補正された開口率を、上記の合計差分に応じて補正するようになっているので、１フレーム全体として見た場合に、輝度不足を補うことができ、この結果、第３色の映像信号を適切に表示することができる。
【０１２０】
従って、上記の画像表示装置における表示方法は、表示領域が光透過性を有する複数の画素で構成された表示手段と、上記表示手段の表示領域の背面側から異なる色の光を照射する複数の光源からなるバックライトと有し、上記バックライトの光源の発光による上記表示手段の画素の透過率を示す開口率を、入力された映像信号に応じて制御して画像表示を行う画像表示装置の表示方法において、映像信号の１フレームを、少なくとも第１色の光源が発光する第１サブフレームと、少なくとも第２色の光源が発光する第２サブフレームと、第３色の光源が発光する第３サブフレームとに分割してサブフレームを生成するサブフレーム生成ステップと、上記サブフレーム生成ステップは、上記第１サブフレームに含まれる第１色の映像信号に基づいて、上記第１色の画素に対応する開口率を補正する第１開口率補正ステップと、上記第２サブフレームに含まれる第２色の映像信号に基づいて、上記第２色の画素に対応する開口率を補正する第２開口率補正ステップと、上記第３サブフレームに含まれる第３色の映像信号に基づいて、上記第３色の画素に対応する開口率を補正する第３開口率補正ステップとを含み、上記第１サブフレームにおいて上記第１開口率補正ステップにより補正された開口率と、上記第１サブフレームに含まれる第２色の映像信号に対応する光源の輝度分布とから得られる表示信号と、上記第１サブフレームに含まれる第２色の映像信号との差分を求めて、上記第２サブフレームにおいて上記第２開口率補正ステップにより補正された開口率を、上記第１サブフレームで求めた表示信号の差分に応じて補正する構成となっている。
【０１２１】
以上のように、一般的にはＬＥＤの輝度分布に基づいたＬＣＤ開口率補正は、同一フレームで行われるが、フィールドシーケンシャル方式の場合、１フレームを構成する３つのサブフレームの中で補正を行う必要がある。このような場合に、上述したＧメインのサブフレームで表示されるＲ、Ｂの結果（ＬＣＤ開口率＋輝度分布）を求め、過補正となった部分を求め、続く第２、第３サブフレームで過補正の補正を行えば、正しくＲ、Ｂのデータを表示することができる。
【０１２２】
なお、本実施の形態では、ＲＧＢの３原色によるカラー表示の例について説明したが、本願発明は、ＲＧＢの３原色に限定されるものではなく、他のカラー表示を行う色の組合せであってもよい。例えば、カラー表示を行うために、Ｙ（イエロー）、Ｃ（シアン）、Ｍ（マゼンタ）の３色を用いる場合であっても同様の処理により、同様の効果を得ることができる。
【０１２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２４】
本発明は、カラー表示可能な表示装置、特に、フィールドシーケンシャル方式によるカラー表示を行う液晶表示装置に利用することができる。
【符号の説明】
【０１２５】
１  液晶パネル（表示手段）
２  バックライト装置
２ａ  発光エリア
３  ソースドライバ
４  ゲートドライバ
５  バックライトデータ処理部
６  映像信号入力部
７  ＬＵＴ
８  ＲＧＢ信号処理部
９  色信号補正部
１０  サブフレーム生成部
１１  データ遅延処理部
１２  ドライバ制御部
１０１  液晶表示装置（画像表示装置）
【図１】
2011104979.tif 000003
【図２】
2011104979.tif 000004
【図３】
2011104979.tif 000005
【図４】
2011104979.tif 000006
【図５】
2011104979.tif 000007
【図６】
2011104979.tif 000008
【図７】
2011104979.tif 000009
【図８】
2011104979.tif 000010
【図９】
2011104979.tif 000011
【国際調査報告】
2011104979.tif 000012
2011104979.tif 000013